(57)【要約】【課題】孔版印刷装置におけるインクからの水分の蒸発は、インクを低粘度化し、そのインク緩みの状態で印刷を行うと、印刷紙上の文字に滲みが生じたり、印刷紙にインクが過剰に転写されて印刷紙上のインクの乾燥までの時間が長期化してインクによる擦れ汚れなどの問題を生じる。【解決手段】版胴に巻装したマスタにインクを供給するインク供給手段を版胴内に有する孔版印刷用版胴において、版胴１０の両端版１１、１２の少なくとも一方の端版に通気孔２３とこれを開閉する開閉蓋２４を設け、開閉蓋２４により印刷動作時に通気孔２３を開放し、非印刷動作時に通気孔２３を閉鎖する【選択図】図３
2006334859.tif 000002
【特許請求の範囲】
【請求項１】
版胴に巻装したマスタにインクを供給するインク供給手段を前記版胴内に有する孔版印刷用版胴において、
前記版胴の両端版の少なくとも一方の端版に通気孔とこれを開閉する通気孔開閉手段を設け、前記通気孔開閉手段により、印刷動作時に前記通気孔を開放し、非印刷動作時に前記通気孔を閉鎖することを特徴とする孔版印刷用版胴。
【請求項２】
請求項１記載の孔版印刷用版胴において、
前記通気孔開閉手段は、前記通気孔を開閉する開閉蓋と、前記通気孔を閉鎖する向きに前記開閉蓋に作用する付勢手段とを有し、印刷動作時に回転する前記版胴に生じる遠心力により、前記付勢手段に抗して前記通気孔を開く向きに前記開閉蓋を移動させることを特徴とする孔版印刷用版胴。
【請求項３】
請求項１記載の孔版印刷用版胴において、
前記版胴は、非印刷動作時に定位置を占めるように構成されており、前記通気孔開閉手段は、前記通気孔を開閉する開閉蓋を有し、前記開閉蓋が非印刷動作時に前記通気孔をその自重による移動で閉鎖し、印刷動作時には回転する前記版胴に生じる遠心力による移動で前記通気孔を開放することを特徴とする孔版印刷用版胴。
【請求項４】
請求項１記載の孔版印刷用版胴において、
前記通気孔開閉手段は、前記通気孔を開閉する開閉蓋と、前記通気孔を閉鎖する向きに前記開閉蓋に作用する付勢手段と、印刷動作時に前記付勢手段に抗して前記通気孔を開く向きに前記開閉蓋を移動させる電気的駆動手段とを有することを特徴とする孔版印刷用版胴。
【請求項５】
請求項１ないし３の何れか一つに記載の孔版印刷用版胴を備えた孔版印刷装置。
【発明の詳細な説明】
【技術分野】
【０００１】
本発明は、孔版印刷用版胴及びこれを備えた孔版印刷装置に関する。
【背景技術】
【０００２】
マスタを版胴に巻き付けて印刷を行う孔版印刷装置には、インクとして水と油とを所定の比率で混和したエマルジョンインクが用いられている。
版胴内には、版胴の内周面に近接したインクローラと、このインクローラの周面と微小間隔をおいて設けられたドクタローラが版胴と平行して設けられていて、これら両ローラによってローラに沿ったインク溜まりが形成される。このインク溜まりには、インクを収容したインクパックから、インクポンプによってインク供給管を介して供給され、その供給されたインクが、インクローラを介して版胴の内周面に運ばれ、版胴とプレスローラとの間を通過する印刷紙に、マスタに応じたインク画像が転写される。
【０００３】
インク溜まり、このインク溜まりから供給されたインクローラ周面上のインク及び版胴内周面に均一に延ばされたインク、すなわち、版胴内のインクからは水分が蒸発する。比較的長時間、印刷を行う印刷動作時には、装置の温度上昇とも相まって、インクがインクローラとドクタローラとにより練り合わされる際に水分が蒸発し、また、印刷装置の不使用などで、インクが版胴内で長時間空気にさらされた状態に置かれる場合においても、水分が蒸発する。何れにしても、水分の蒸発は、インクの粘度を低下させ、所謂インク緩みを生じる。
インクから蒸発した水分が版胴内に滞留しない構造の孔版印刷用版胴は、特許文献１に記載の版胴の端板に開孔が形成されたものが知られている。
【０００４】
【特許文献１】特開平９−２２０８５１公報
【発明の開示】
【発明が解決しようとする課題】
【０００５】
孔版印刷装置における版胴内のインクからの水分の蒸発は、インクを低粘度化し、そのインク緩みの状態で印刷を行うと、印刷紙上の文字に滲みが生じたり、印刷紙にインクが過剰に転写されて印刷紙上のインク画像の乾燥までの時間が長期化して、印刷紙にインクの擦れ汚れなどの問題を生じ場合がある。
一方、インクからの水分の蒸発を抑えるために、版胴を密封構造にすると、比較的長時間、印刷を行う場合に非可避的に生じる水分蒸発による水分が版胴の内周面や版胴内のインクセンサなどの電装部品に付着し、鮮明な印刷に悪影響を及ぼすばかりでなく、インクセンサに水分が付着した場合、インク溜まりにインク不足が生じているにも拘わらずこれを正しく検知しない誤検知を生じるという問題がある。
【０００６】
本発明の目的は、水分の蒸発によって生じる問題点を解決した孔版印刷用版胴及びこれを備えた孔版印刷装置を提供することにある。
【課題を解決するための手段】
【０００７】
請求項１の発明は、版胴に巻装したマスタにインクを供給するインク供給手段を前記版胴内に有する孔版印刷用版胴において、前記版胴の両端版の少なくとも一方の端版に通気孔とこれを開閉する通気孔開閉手段を設け、この通気孔開閉手段により、印刷動作時に前記通気孔を開放し、非印刷動作時に前記通気孔を閉鎖することを特徴とする。
請求項２の発明は、請求項１記載の孔版印刷用版胴において、前記通気孔開閉手段は、前記通気孔を開閉する開閉蓋と、前記通気孔を閉鎖する向きに前記開閉蓋に作用する付勢手段とを有し、印刷動作時に回転する前記版胴に生じる遠心力により、前記付勢手段に抗して前記通気孔を開く向きに前記開閉蓋を移動させることを特徴とする。
請求項３の発明は、請求項１記載の孔版印刷用版胴において、前記版胴は、非印刷動作時に定位置を占めるように構成されており、前記通気孔開閉手段は、前記通気孔を開閉する開閉蓋を有し、前記開閉蓋が非印刷動作時に前記通気孔をその自重による移動で閉鎖し、印刷動作時には回転する前記版胴に生じる遠心力による移動で前記通気孔を開放することを特徴とする。
請求項４の発明は、請求項１記載の孔版印刷用版胴において、前記通気孔開閉手段は、前記通気孔を開閉する開閉蓋と、前記通気孔を閉鎖する向きに前記開閉蓋に作用する付勢手段と、印刷動作時に前記付勢手段に抗して前記通気孔を開く向きに前記開閉蓋を移動させる電気的駆動手段とを有することを特徴とする。
請求項５の発明は、請求項１ないし３の何れか一つに記載の孔版印刷用版胴を備えた孔版印刷装置にある。
【発明の効果】
【０００８】
本発明によれば、孔版印刷装置において、印刷動作時に版胴の通気孔を開放し、非印刷動作時に通気孔を閉鎖するので、版胴内のインクからの水分の蒸発によって印刷画像に生じる弊害を抑えることができる効果を奏する。
請求項２、３の発明によれば、版胴に生じる遠心力を利用して通気孔を自動的に開閉するので、通気孔の開閉蓋動作のためのモータ又はソレノイド等の駆動源を必要とせず、したがって、版胴の重量を増すことなく、しかも低コストで目的を達成できる効果を奏する。
【発明を実施するための最良の形態】
【０００９】
本発明の第１の実施の形態を示す図１、２において、版胴１０は、両端板１１、１２と、両端板１１、１２の外周に巻き付けた多孔性支持板１３と、この多孔性支持板１３に重ねて巻装されたスクリーン（図示されず）と、多孔性支持板１３の非開孔部に設けられた、マスタの先端部を咥えるクランパ１４と、端板１１の外側面中心部に固定された歯車１５と、版胴１０内に設けられたインク供給手段とから主に構成されている。
【００１０】
上記インク供給手段は、版胴１０の支持軸を兼ねたインク供給管１６と、多孔性支持板１３の内周面に近接して配置されたインクローラ１７と、インクローラ１７の周面と微小間隔をおいて設けられたドクタローラ１８とにより構成されている。
インクローラ１７及びドクタローラ１８は、インク供給管１６に上部を固定された支持板１９ａ、１９ｂで、それらの軸を回転自在にそれぞれ支持されている。
インク供給管１６には、下向きのインク吐出孔２０が列設されており、また、インク供給管１６の、図１における右端には、インク供給管１６に供給するインクを収納したインクパックと、このインクパックからインク供給管１６にインクを送り込むインクポンプ（共に図示されず）が設けられる。インクポンプが版胴内に設置され、インクパックからインクを吸い込んでそのインクをインク供給管１６に供給する構造の版胴も存在する。
【００１１】
図１において、インクローラ１７とドクタローラ１８の各周面の一部によってインク供給管１６からの供給インクによるインク溜まり２１が作られる。版胴１０が孔版印刷装置本体に装着された状態において、版胴１０の下方には、多孔性支持板１３を介してインクローラ１７と対向した押圧ローラ２２が版胴１０に対し接離自在に配置されている。版胴１０が孔版印刷装置本体に装着され、版胴駆動手段により歯車１５が駆動されると、版胴１０は図２において矢印ａの向きに回転する。
版胴１０と押圧ローラ２２とによって構成される印刷部に印刷用紙Ｓの先端部が送り込まれ、押圧ローラ２２が版胴１０を押圧して多孔性支持板１３がインクローラ１７に当接することにより、インクローラ１７が矢印ｂの向きに回転してインクが版胴１０に供給されることによって孔版印刷が行われる。
【００１２】
以上説明した版胴の構成及び印刷動作は周知である。本発明は、版胴に巻装したマスタにインクを供給するインク供給手段を前記版胴内に有する孔版印刷用版胴において、版胴の両端版の少なくとも一方の端版に通気孔とこれを開閉する通気孔開閉手段を設け、この通気孔開閉手段により、印刷動作時に前記通気孔を開放し、非印刷動作時に前記通気孔を閉鎖することを特徴とする。
本発明の第１の実施の形態は、図１乃至図３において、版胴１０内にインク供給手段を有する孔版印刷用版胴において、版胴１０の端版１１、１２に、通気孔２３とこれを開閉する開閉蓋２４を含む通気孔開閉手段とを設け、版胴１０が回転している印刷動作時に版胴に生じる遠心力により通気孔２３を開放し、版胴１０が回転を停止している非印刷動作時には付勢手段により通気孔２３を閉鎖するようにしたものである。
通気孔２３は各端板１１、１２にそれぞれ４個ずつ穿設されているが、この形態に限らず、通気孔の個数や大きさは版胴の構成等に応じて適宜変更してもよく、また、通気孔２３は、両端版１１、１２のうちの一方の端版のみに設けてもよいし、各端板でそれぞれ異なる数、大きさに設定してもよい。
【００１３】
図３において、開閉蓋２４は、その基部を軸２５によって端板１１に揺動自在に枢着されており、その揺動範囲は端板に設けられた一対のストッパ２６ａ、２６ｂによって制限される。
開閉蓋２４は、付勢手段としてのコイルスプリング２７により、通気孔２３を閉鎖する向きの揺動習性が与えられていて、版胴１０が停止している非印刷動作時には、ストッパ２６ａに当接して通気孔２３を閉じた閉鎖位置を占め、版胴内のインクの蒸発を抑制する。
版胴１０が回転している印刷動作時には、開閉蓋２４は回転する版胴１０に生じる遠心力により、コイルスプリング２７の弾力に抗して、図３において、ストッパ２６ｂに衝突するまで、軸２５の周りに時計方向、すなわち、インク供給管１６から遠ざかる向きに回転して通気孔２３を開き、インクから蒸発した水分の版胴内での滞留を防止する。
開閉蓋２４、軸２５、コイルスプリング２７及び両ストッパ２６ａ、２６ｂにより通気孔開閉手段を構成する。
開閉蓋２４に合成樹脂板などの軽量部材を採用したときは、その開閉蓋に作用する遠心力の効果を高めるために、コイルスプリング２７の弾力を考慮して開閉蓋２４の自由端部に錘を設けるとよい。
【００１４】
非印刷動作時に版胴が定位置を占める孔版印刷装置に用いられる版胴にあっては、開閉蓋に通気孔を閉鎖する習性を与えるコイルスプリングなどの付勢手段を必要としない。
図４は、本発明の第２の実施の形態を示す。版胴１１０は非印刷動作時には、クランパ１１４が上方に位置する定位置で停止する。通常、版胴は製版装置から送られてくるマスタをクランパが自動的に咥えるのに適する所定位置で停止する。
版胴１１０の端板１１１には、版胴１１０の支持軸を兼ねたインク供給管１１６の上方に１個の通気孔１２３が設けられている。通気孔１２３の開閉蓋１２４は、その基部を通気孔１２３の側方において軸１２５で端板１１１に枢着されている。
【００１５】
版胴１１０が停止している非印刷動作時には、開閉蓋１２４は、その自重でストッパ１２６ａに当接した状態で通気孔１２３を閉鎖しており、版胴１１０が回転している印刷動作時には、回転する版胴１０に生じる遠心力により、その自重に抗して、ストッパ１２６ｂに衝突するまで、図４において、時計方向に回転して通気孔１２３を開く。
通気孔１２３の開閉蓋１２４は、他方の端板にも同じ構成で設けることができる。
【００１６】
以上説明した本発明の実施の形態における開閉蓋は、その基部が版胴の端板に枢着され、その自由端部が端板の略半径方向に移動する揺動板であるが、この揺動板からなる開閉蓋に代えて、上記端板の半径方向に移動可能に支持された摺動板を用いることも可能である。この摺動版からなる開閉蓋は、印刷動作時に遠心力で通気孔を開く向きに移動し、非印刷動作時に付勢手段または重力により通気孔を閉じる向きに移動する。また、本発明における開閉蓋の構成は、その実施形態に限定されるものではない。
本発明の第１及び第２の実施形態では、その通気孔開閉手段は、版胴に生じる遠心力を利用して通気孔を自動的に開閉する構成からなるが、この遠心力を利用する構成に限らず、印刷動作時に作動するモータ又はソレノイド等により開閉蓋を駆動して通気孔の開閉を行ってもよい。
【００１７】
図５は、印刷動作時に作動するソレノイドにより開閉蓋を駆動して通気孔の開閉を行う本発明の第３の実施の形態を示す。
同図において、版胴２１０の端板２１１には、端板２１１に穿たれた通気孔２２３を開閉する開閉蓋２２４が設けられる。開閉蓋２２４は、これに形成された長孔２２５と、端板２１１に設けた段付きねじ２２６によって円周方向に移動可能に支持されている。開閉蓋２２４には、通気孔２２３を開放する孔２２８が形成されている。開閉蓋２２４の移動範囲は一対のストッパ２２６ａとストッパ２２６ｂで規制される。
開閉蓋２２４は、通気孔２２３を閉鎖する向きにコイルスプリング２２７によって付勢されており、通気孔２２３を閉じた閉鎖位置においてストッ２２６ａに当接している。
開閉蓋２２４には、電気的駆動手段としてのソレノイド２２９の可動片２３０がスプリング２３１を介して結合されている。ソレノイド２２９は、版胴が回転する印刷動作時に励磁状態におかれる。
印刷動作時にソレノイド２２９がコイルスプリング２２７に抗して開閉蓋２２４を、ストッパ２２６ｂに当接するまで引き付け、孔２２８を通気孔２２３に合致させることにより通気孔２２３を開放する。
開閉蓋２２４の形状や移動方向、通気孔２２３の個数は、版胴の構成等に応じて適宜変更することができる。
【図面の簡単な説明】
【００１８】
【図１】本発明の第１の実施形態を説明するための版胴の回転軸方向の断面図である。
【図２】図１の版胴の回転軸と直交する方向の断面図である。
【図３】図１の右端面図である。
【図４】本発明の第２の実施形態を説明するための版胴の端面図である。
【図５】本発明の第３の実施形態を説明するための版胴の端面図である。
【符号の説明】
【００１９】
１０、１１０、２１０          版胴
１１、１２、１１１、２１１    端板
１６、１１６          インク供給管
１７                  インクローラ
１８                  ドクタローラ
２０                  インク吐出孔
２１                  インク溜まり
２３、１２３、２２３  通気孔
２４、１２４、２２４  開閉蓋
２６ａ、２６ｂ、１２６ａ、１２６ｂ、２２６ａ、２２６ｂ  ストッパ
２７、２２７          コイルスプリング
２２９                ソレノイド
【図１】
2006334859.tif 000003
【図２】
2006334859.tif 000004
【図３】
2006334859.tif 000005
【図４】
2006334859.tif 000006
【図５】
2006334859.tif 000007